(57)【要約】【課題】  補助レンズを異なる形状のメガネ本体に組合せることができる補助レンズ付きメガネの組合せ構造を提供する。【解決手段】  メガネ本体と、該メガネ本体に着脱可能な補助レンズと、該補助レンズの中央におけるブリッジに設けられると共に、一側において横方向に貫通し、開口を有する収容溝を具備する接合座と、該接合座の収容溝側から枢転自在に組合せられ、その長さが接合座よりも長く、且つ接合座から突出した部分の底面に接合座側へ傾斜する斜面が形成されるクリップと、一端が接合座に、他端がクリップに連結される弾性部材と、を有することを特徴とする。【選択図】        図２
2005091621.tif 000002
【特許請求の範囲】
【請求項１】
メガネ本体と、
該メガネ本体に着脱可能な補助レンズと、
該補助レンズの中央におけるブリッジに設けられると共に、一側において横方向に貫通し、開口を有する収容溝を具備する接合座と、
該接合座の収容溝側から枢転自在に組合せられ、その長さが接合座よりも長く、且つ接合座から突出した部分の底面に接合座側へ傾斜する斜面が形成されるクリップと、
一端が接合座に、他端がクリップに連結される弾性部材と、を有することを特徴とする補助レンズ付きメガネの組合せ構造。
【請求項２】
前記弾性部材はワイヤをＬ字形に曲折して得たものであり、その曲折した箇所に弾性部が設けられることを特徴とする請求項１に記載の補助レンズ付きメガネの組合せ構造。
【請求項３】
前記接合座の上面に、中央にピンを有する凹部が形成されると共に、該凹部と連通する溝が形成され、又、クリップにおける、接合座を有しない側に、中央にピンを有する凹部が形成されると共に、クリップの側面かわ上面へ跨り、一端が前記接合座の上面における溝と連通し、他端が凹部と連通する溝が形成され、
前記弾性部材は、該接合座及びクリップにおける溝に収容されると共に、その両端には夫々接合座とクリップにおけるピンに嵌め込むための固定部が設けられることを特徴とする請求項２に記載の補助レンズ付きメガネの組合せ構造。
【発明の詳細な説明】
【技術分野】
【０００１】
本発明は、特に補助レンズを異なる形状のメガネ本体に組合せることができる補助レンズ付きメガネの組合せ構造に関するものである。
【背景技術】
【０００２】
近視の人がどんどん増えていく、このような人はメガネを掛ける必要があるので、生活上で非常に不便さを感じることがあり、例えば近視用メガネを掛けている人は、更にサングラスを掛けることができなく、従って、例えば下記の特許文献１〜６に、着脱式補助レンズが提案された。使用者がこのような補助レンズを近視用メガネに付けると、該近視用メガネはサングラスや偏光グラスなどの機能が附加されることにより、メガネの実用性や便利性が向上される。
【０００３】
又、現在の補助レンズは殆どマグネット式であり、その構造は補助レンズとメガネ本体に夫々互いに吸着し合う磁性体（例えば磁石）が設けられることにより、補助レンズをメガネ本体に組合せ、しかし、このような磁力吸着式補助レンズとメガネ本体は、対応の箇所に夫々磁性体を設置する必要があるため、メガネの製造工程が複雑になると共に、コストが増加されてしまい、更に、磁性体の磁力が弱いので、使用者が激しい運動をする場合には、補助レンズをズレ又は脱落する恐れがあり、若し運転中に、この状況を発生すれば、交通事故が起こる可能性がある。
【０００４】
又、従来の磁力吸着式補助レンズとメガネ本体の組合せ構造は、補助レンズとメガネ本体の対応箇所に夫々磁性体を精確に設置する必要があり、磁性体を精確に設置しないと、メガネ本体と補助レンズを密接に吸着することができなく、故に、従来の磁力吸着式補助レンズは、単に特定の形式のメガネ本体に使用できるのみであり、使用が極めて不便であった。又、磁性体は磁力波を発生するので、この磁性体を有するメガネ本体と補助レンズを長時間に掛ける状態でいると、体に悪影響を与える恐れがある。
【０００５】
上記問題を鑑み、磁性体の代わりにクリップを利用するクリップ式補助レンズが開発された。従来のクリップ式補助レンズとメガネ本体の組合せ構造は、補助レンズのブリッジにメガネ本体と結合するためのクリップが設けられることにより、補助レンズの実用性及び便利性を向上させることができる。
【特許文献１】台湾実用新案出願番号第８４２１５７１４号。
【特許文献２】台湾実用新案出願番号第８６２１５３９７号。
【特許文献３】台湾実用新案出願番号第８７１０６３０５号。
【特許文献４】台湾実用新案出願番号第８７２０６２８４号。
【特許文献５】米国特許第６４７４８１０Ｂ１号。
【特許文献６】米国特許第６３８２７８７Ｂ１号。
【発明の開示】
【発明が解決しようとする課題】
【０００６】
しかしながら、上記従来のクリップ式補助レンズとメガネ本体の組合せ構造は複雑であり、更に、その組合せ構造は体積が大きく、重量が重いため、使用上非常に不便であり、又、このようなクリップ式補助レンズをメガネ本体から取り外す時には、手で操作する必要があるので、非常に不便である。
【０００７】
そこで、出願されたのが本発明であって、補助レンズを異なる形状のメガネ本体に組合せることができる補助レンズ付きメガネの組合せ構造を提供することを目的としている。
【課題を解決するための手段】
【０００８】
本願の発明１は、メガネ本体と、該メガネ本体に着脱可能な補助レンズと、該補助レンズの中央におけるブリッジに設けられると共に、一側において横方向に貫通し、開口を有する収容溝を具備する接合座と、該接合座の収容溝側から枢転自在に組合せられ、その長さが接合座よりも長く、且つ接合座から突出した部分の底面に接合座側へ傾斜する斜面が形成されるクリップと、一端が接合座に、他端がクリップに連結される弾性部材と、を有することを特徴とする補助レンズ付きメガネの組合せ構造、を提供する。
本願の発明２は、前記弾性部材はワイヤをＬ字形に曲折して得たものであり、その曲折した箇所に弾性部が設けられることを特徴とする発明１に記載の補助レンズ付きメガネの組合せ構造、を提供する。
本願の発明３は、前記接合座の上面に、中央にピンを有する凹部が形成されると共に、該凹部と連通する溝が形成され、又、クリップにおける、接合座を有しない側に、中央にピンを有する凹部が形成されると共に、クリップの側面かわ上面へ跨り、一端が前記接合座の上面における溝と連通し、他端が凹部と連通する溝が形成され、前記弾性部材は、該接合座及びクリップにおける溝に収容されると共に、その両端には夫々接合座とクリップにおけるピンに嵌め込むための固定部が設けられることを特徴とする発明２に記載の補助レンズ付きメガネの組合せ構造、を提供する。
【発明の効果】
【０００９】
本発明は上記も課題を解決するものであり、枢転自在のクリップが補助レンズのブリッジにおける接合座に設けられると共に、弾性部材によってクリップと接合座を互いに密接することにより、補助レンズを便利にメガネ本体に組合せる又はメガネ本体から取り外すことができ、更に、異なる補助レンズを異なるメガネ本体と組合せることもできるので、補助レンズの実用性及び便利性を向上させることができる。
【発明を実施するための最良の形態】
【００１０】
以下、添付図面を参照して本発明の好適な実施の形態を詳細に説明する。
【００１１】
図１は本発明に係る補助レンズ付きメガネの組合せ構造を示す斜視図であり、図２は本発明に係る補助レンズ付きメガネの組合せ構造を示す分解斜視図であり、図３は本発明に係る補助レンズ付きメガネの組合せ構造における接合座とクリップを示す一部拡大分解斜視図であり、図４は本発明に係る補助レンズ付きメガネの組合せ構造の第一実施例における接合座とクリップを示す一部拡大斜視図であり、図５は本発明に係る補助レンズ付きメガネの組合せ構造の第一実施例における接合座とクリップを示す断面図であり、図６は本発明に係る補助レンズ付きメガネの組合せ構造の第一実施例における接合座とクリップをメガネ本体のブリッジの上方に置ける状態を示す断面図であり、図７は本発明に係る補助レンズ付きメガネの組合せ構造の第一実施例におけるメガネ本体のブリッジを収容溝の内部に移動している状態を示す断面図であり、図８は本発明に係る補助レンズ付きメガネの組合せ構造の第一実施例におけるメガネ本体のブリッジを収容溝の内部に収容している状態を示す断面図であり、図９は本発明に係る補助レンズ付きメガネの組合せ構造の第二実施例を示す断面図であり、図１０は本発明に係る補助レンズ付きメガネの組合せ構造の第三実施例を示す断面図であり、図１１は本発明に係る補助レンズ付きメガネの組合せ構造の第四実施例を示す断面図である。
【００１２】
図１乃至図４に示すように、本発明に係る補助レンズ付きメガネの組合せ構造の第一実施例は、接合座（１０）と、クリップ（２０）と、弾性部材（３０）とを有し、該接合座（１０）は補助レンズ（５０）の中央におけるブリッジ（５２）に設けられ、その一側において横方向に貫通し、開口を有する収容溝（１２）が形成され、該接合座（１０）の上面に、ピン（１４２）を有する凹部（１４）が形成されると共に、該凹部（１４）と連通する溝（１６）が形成される。
【００１３】
前記クリップ（２０）は枢転自在に接合座（１０）における収容溝（１２）の上側に組合せられ、接合座（１０）と異なるクリップ（２０）の一側に、中央にピン（２２２）を有する凹部（２２）が形成されると共に、クリップ（２０）の側面から上面へ跨り、一端が前記接合座（１０）の上面における溝（１６）と連通し、他端が凹部（２２）と連通する溝（２３）が形成され、又、接合座（１０）とクリップ（２０）の接合箇所に夫々対応する円弧状凹部（１８）と円弧状凸部（２６）が設けられ、クリップ（２０）の長さが接合座（１０）よりも長く、且つ接合座（１０）から突出した部分の底面に接合座（１０）側へ傾斜する斜面（２８）が形成される。
【００１４】
前記弾性部材（３０）はワイヤをＬ字形に曲折して得たものであり、その曲折した箇所に弾性部（３２）が設けられると共に、その両端に、夫々接合座（１０）とクリップ（２０）におけるピン（１４２）（２２２）に固定するための固定部（３４）（３４２）が設けられ、又、弾性部材（３０）が接合座（１０）とクリップ（２０）における溝（１６）（２３）に収容され、クリップ（２０）における溝（２３）の両側に弾性部材（３０）の弾性部（３２）と対応する保護ブロック（２４）が設けられる。
【００１５】
弾性部材（３０）の固定部（３４）（３４２）を前記ピン（１４２）（２２２）に設置した後、高周波などの溶接技術によってピン（１４２）（２２２）をとろけると共に、凹部（１４）（２２）を補填することにより、固定部（３４）（３４２）が凹部（１４）（２２）に固定される。
【００１６】
図１、図５乃至図８に示すように、本発明に係る補助レンズ付きメガネの組合せ構造を使用する際、補助レンズ（５０）のブリッジ（５２）をメガネ本体（４０）のブリッジ（４２）上に跨がせると共に、メガネ本体（４０）のブリッジ（４２）がクリップ（２０）の斜面（２８）を押圧することにより、クリップ（２０）と弾性部材（３０）を接合座（１０）に対して回転すると共に、メガネ本体（４０）のブリッジ（４２）が接合座（１０）における収容溝（１２）の内部に嵌め込み、更に、弾性部材（３０）における弾性部（３２）の付勢力によってクリップ（２０）を元の位置に戻すと共に、収容溝（１２）を封閉することにより、補助レンズ（５０）をメガネ本体（４０）のブリッジ（４２）に組合せる。
【００１７】
補助レンズ（５０）をメガネ本体（４０）から取り外す場合に、使用者は収容溝（１２）の反対側へ向かってメガネ本体（４０）から補助レンズ（５０）を移動させると共に、メガネ本体（４０）のブリッジ（４２）がクリップ（２０）を押出することにより、メガネ本体（４０）のブリッジ（４２）を収容溝（１２）から脱出すると共に、補助レンズ（５０）をメガネ本体（４０）から離れることができる。
【００１８】
又、図９及び図１０に示すように、本発明に係る補助レンズ付きメガネの組合せ構造は、収容溝（１２’）（１２’’）がメガネ本体に向かう接合座（１０’）（１０’’）の一側に形成されるだけでなく、接合座（１０’）（１０’’）の上面又は底面に該収容溝（１２’）（１２’’）形成されると共に、クリップ（２０’）（２０’’）がこの収容溝（１２’）（１２’’）に対して接合座（１０’）（１０’’）の上面又は底面に設置されても良く、又、図１１に示すように、収容溝（１２’’’）がメガネ本体に向かう接合座（１０’’’）の一側に設けられる場合、クリップ（２０’’’）が収容溝（１２’’’）の下側に設置しても良く。
【産業上の利用可能性】
【００１９】
本発明に係る補助レンズ付きメガネの組合せ構造によれば、補助レンズを便利にメガネ本体に組合せる又はメガネ本体から取り外すことができ、更に、異なる補助レンズを異なるメガネ本体と組合せることもできるので、補助レンズの実用性及び便利性を向上させることができる。
【図面の簡単な説明】
【００２０】
【図１】本発明に係る補助レンズ付きメガネの組合せ構造を示す斜視図である。
【図２】本発明に係る補助レンズ付きメガネの組合せ構造を示す分解斜視図である。
【図３】本発明に係る補助レンズ付きメガネの組合せ構造における接合座とクリップを示す一部拡大分解斜視図である。
【図４】本発明に係る補助レンズ付きメガネの組合せ構造の第一実施例における接合座とクリップを示す一部拡大斜視図である。
【図５】本発明に係る補助レンズ付きメガネの組合せ構造の第一実施例における接合座とクリップを示す断面図である。
【図６】本発明に係る補助レンズ付きメガネの組合せ構造の第一実施例における接合座とクリップをメガネ本体のブリッジの上方に置ける状態を示す断面図である。
【図７】本発明に係る補助レンズ付きメガネの組合せ構造の第一実施例におけるメガネ本体のブリッジを収容溝の内部に移動している状態を示す断面図である。
【図８】本発明に係る補助レンズ付きメガネの組合せ構造の第一実施例におけるメガネ本体のブリッジを収容溝の内部に収容している状態を示す断面図である。
【図９】本発明に係る補助レンズ付きメガネの組合せ構造の第二実施例を示す断面図である。
【図１０】本発明に係る補助レンズ付きメガネの組合せ構造の第三実施例を示す断面図である。
【図１１】本発明に係る補助レンズ付きメガネの組合せ構造の第四実施例を示す断面図である。
【符号の説明】
【００２１】
１０        接合座
１０’        接合座
１０’’        接合座
１０’’’        接合座
１２        収容溝
１２’        収容溝
１２’’        収容溝
１２’’’        収容溝
１４        凹部
１４２      ピン
１６        溝
１８        円弧状凹部
２０        クリップ
２０’        クリップ
２０’’        クリップ
２０’’’        クリップ
２２        凹部
２２２      ピン
２３        溝
２４        保護ブロック
２６        円弧状凸部
２８        斜面
３０        弾性部材
３２        弾性部
３４        固定部
３４２      固定部
４０        メガネ本体
４２        ブリッジ
５０        補助レンズ
５２        ブリッジ
【図１】
2005091621.tif 000003
【図２】
2005091621.tif 000004
【図３】
2005091621.tif 000005
【図４】
2005091621.tif 000006
【図５】
2005091621.tif 000007
【図６】
2005091621.tif 000008
【図７】
2005091621.tif 000009
【図８】
2005091621.tif 000010
【図９】
2005091621.tif 000011
【図１０】
2005091621.tif 000012
【図１１】
2005091621.tif 000013